(57)【要約】      （修正有）【課題】  時々刻々と変換するスイッチングハードウェアと当該スイッチングハードウェアの状態情報を管理する装置との間の状態同期を実現する。【解決手段】  スイッチングハードウェア１００の状態と記憶手段２４０に蓄積された状態情報が“非同期状態”であるか“同期状態”であるかを定義し、“非同期状態”の場合には、プロトコル状態遷移管理手段２３０に対して状態情報管理の不整合解決を指示する蓄積情報状態遷移管理手段２５０を有する。【選択図】  図１
2005124067.tif 000002
【特許請求の範囲】
【請求項１】
単数もしくは複数のブロックで構成されるスイッチングハードウェアの状態情報を通信回線経由で取得・蓄積管理するスイッチングハードウェア管理制御装置であって、
前記通信回線の状態管理をするための通信プロトコルレベルで管理制御信号の交換可能の是非状態を記憶手段で管理すると共に、所定の状態情報管理の不整合解決処理を行うプロトコル状態遷移管理手段と、
前記スイッチングハードウェアの状態と記憶手段に蓄積された状態情報が“同期状態”であるか“非同期状態”であるかを定義し、“非同期状態”である場合に、前記プロトコル状態遷移管理手段に対して状態情報管理の不整合解決を指示する蓄積情報状態遷移管理手段とを有することを特徴とするスイッチングハードウェア管理制御装置。
【請求項２】
単数もしくは複数のブロックで構成されるスイッチングハードウェアの状態情報を通信回線経由で取得・蓄積管理するスイッチングハードウェア管理制御装置であって、
前記通信回線の状態管理をするための通信プロトコルレベルで管理制御信号の交換可能の是非状態を管理すると共に、所定の状態情報管理の不整合解決処理を行うプロトコル状態遷移管理手段と、
前記スイッチングハードウェアの状態と記憶手段に取得・蓄積された状態情報が“同期状態”であるか“非同期状態”であるかを定義し、“非同期状態”である場合に、前記プロトコル状態遷移管理手段に対して状態情報管理の不整合解決を指示する蓄積情報状態遷移管理手段とを有し、
前記蓄積情報状態遷移管理手段は、
未登録のスイッチングハードウェアから通信警報もしくは性能情報が通知された場合、“非同期状態”に遷移する手段を含むことを特徴とするスイッチングハードウェア管理制御装置。
【請求項３】
単数もしくは複数のブロックで構成されるスイッチングハードウェアの状態情報を通信回線経由で取得・蓄積管理するスイッチングハードウェア管理制御装置であって、
前記通信回線の状態管理をするための通信プロトコルレベルで管理制御信号の交換可能の是非状態を管理すると共に、所定の状態情報管理の不整合解決処理を行うプロトコル状態遷移管理手段と、
前記スイッチングハードウェアの状態と記憶手段に取得・蓄積された状態情報が“同期状態”であるか“非同期状態”であるかを定義し、“非同期状態”である場合に、前記プロトコル状態遷移管理手段に対して状態情報管理の不整合解決を指示する蓄積情報状態遷移管理手段とを有し、
前記蓄積情報状態遷移管理手段は、
“非同期状態”に遷移した場合、前記スイッチングハードウェアの状態情報を取得し、前記記憶手段に取得・蓄積されている既状態情報との整合性確認を行い、不整合情報については該スイッチングハードウェアに再設定するか自身の該記憶手段の蓄積情報に上書き処理する処理に少なくとも１度成功した場合に限り、“同期状態”に遷移する手段を有することを特徴とするスイッチングハードウェア管理制御装置。
【請求項４】
前記蓄積情報状態遷移管理手段の“同期状態”から“非同期状態”に遷移する契機は、
前記プロトコル状態遷移管理手段が“交換不可状態”に遷移する場合も含む請求項１乃至３記載のスイッチングハードウェア管理制御装置。
【請求項５】
単数もしくは複数のブロックで構成されるスイッチングハードウェアの状態情報を通信回線経由で取得・蓄積管理するスイッチングハードウェア管理制御装置におけるスイッチングハードウェア管理制御方法であって、
プロトコル状態遷移管理手段において、前記通信回線の状態管理をするための通信プロトコルレベルで管理制御信号の交換可能の是非状態を記憶手段で管理し、
蓄積情報状態遷移管理手段において、前記スイッチングハードウェアから取得した前記状態と前記記憶手段に蓄積された状態情報が“同期状態”であるか“非同期状態”であるかを定義し、“非同期状態”となった場合には、前記プロトコル状態管理手段に対して、不整合を解決するための命令を出力し、
前記プロトコル状態遷移管理手段において、不整合を解決するための命令に応じて、所定の状態情報の不整合を解決する処理を実行することを特徴とするスイッチングハードウェア管理制御方法。
【請求項６】
単数もしくは複数のブロックで構成されるスイッチングハードウェアの状態情報を通信回線経由で取得・蓄積管理するスイッチングハードウェア管理制御装置におけるスイッチングハードウェア管理制御方法であって、
プロトコル状態遷移管理手段において、前記通信回線の状態管理をするための、通信プロトコルレベルで管理制御信号の交換可能の是非状態を管理し、
蓄積情報状態遷移管理手段において、前記スイッチングハードウェアの状態と記憶手段に蓄積された状態情報が“同期状態”であるか“非同期状態”であるかを定義し、
前記蓄積情報状態遷移管理手段において、
未登録のスイッチングハードウェアから通信警報もしくは性能情報が通知された場合、“非同期状態”に遷移し、前記プロトコル状態遷移管理手段に対して、不整合を解決するための命令を出力し、
プロトコル状態遷移管理手段において、不整合を解決するための命令に応じて、所定の状態情報の不整合を解決する処理を実行することを特徴とするスイッチングハードウェア管理制御方法。
【請求項７】
単数もしくは複数のブロックで構成されるスイッチングハードウェアの状態情報を通信回線経由で取得・蓄積管理するスイッチングハードウェア管理制御装置におけるスイッチングハードウェア管理制御方法において、
プロトコル状態遷移管理手段において、前記通信回線の状態管理をするための、通信プロトコルレベルで管理制御信号の交換可能の是非状態を管理し、
蓄積情報状態遷移管理手段において、前記スイッチングハードウェアの状態と記憶手段に取得・蓄積された状態情報が“同期状態”であるか“非同期状態”であるかを定義し、
前記蓄積情報状態遷移管理手段において、
“非同期状態”に遷移した場合、前記スイッチングハードウェアの状態情報を取得し、前記記憶手段に取得・蓄積されている既状態情報との整合性確認を行い、不整合情報については該スイッチングハードウェアに再設定するか自身の該記憶手段の蓄積情報に上書き処理する処理に少なくとも１度成功した場合に限り、“同期状態”に遷移することを特徴とするスイッチングハードウェア管理制御方法。
【請求項８】
前記蓄積情報状態遷移管理手段において、
“同期状態”から“非同期状態”に遷移する契機は、
前記プロトコル状態遷移管理手段が“交換不可状態”に遷移する場合も含む請求項５乃至７記載のスイッチングハードウェア管理制御方法。
【発明の詳細な説明】
【技術分野】
【０００１】
本発明は、スイッチングハードウェア管理制御装置及び方法に係り、特に、電気通信設備に提供される単数もしくは複数のスイッチングハードウェアを管理制御するスイッチングハードウェア管理制御装置及び方法に関する。
【背景技術】
【０００２】
インターネット等のデータ通信トラフィックの増大により、現状でＴｂｉｔ／ｓ、近い将来には１０〜１００Ｔｂｉｔ／ｓ以上のスループットを有するノード装置の導入が進められようとしている。この程度の大規模な転送能力を有するノード装置を実現する手段として、ラベルスイッチングルータの導入が広く行われている。
【０００３】
上記ラベルスイッチングルータ装置の管理制御装置としてＩＰ系プロトコルの標準化仕様を策定するInternet Engineering Task Force(IETF)において、General Switch Management Protocol(GSMP)の標準化が行われている。
【０００４】
当該プロトコルの標準化仕様（ＲＦＣ３２９２）においては、スイッチングハードウェアである“Slave”と、これらを管理制御する“Master”が機能ブロックとして定義され、両者は、図６のような手順で隣接関係（“Adjacency”）が確立される。
【０００５】
GSMP-Master/Slave間は、ＴＣＰリンクで接続されることを想定しており、ＴＣＰレイヤでは、GSMP-Masterがクライアントとなり、GSMP-SlaveがサーバとなってSYN メッセージの受信まで待機する（詳しくは、非特許文献１参照）。
【０００６】
GSMP-Masterは、起動後、SYNメッセージをSlaveに対して送信し、自身のプロトコル状態遷移管理機能は“SYNSENT状態”を定義する。これに対して、GSMP-Slaveは、SYNACKメッセージで応答する。このとき、GSMP-Slaveのプロトコル状態遷移管理機能は、“SYNRCVD状態”を定義する。前述のSYNACKメッセージを受け取ったGSMP-Masterは、ＡＣＫメッセージを返信し、自身のプロトコル状態遷移管理機能は“ESTAB状態”を定義する。GSMP-Slave側もこの状態に遷移した時、GSMP-Master/Slave間は、通信プロトコルレベルで管理制御信号の交換可能な状態となり、スイッチングハードウェアを管理制御するGSMP-MasterとスイッチングハードウェアのGSMP-Slaveで管理制御情報の交換が行われるようにする。
【０００７】
このようにGSMPプロトコルのプロトコル状態遷移管理機能は、“SYNSENT状態”、“SYNRCVD状態”が“交換不可状態”に、“ESTAB状態”が“交換可能状態”に相当する。
【０００８】
また、“交換可能状態”から“交換不可状態”に遷移する契機は、GSMP-SlaveとGSMP-Master間で定期的に交換するＡＣＫメッセージの送受信に、ある一定回数以上にわたり連続して失敗した場合、もしくは、GSMP-Masterのスイッチングハードウェア管理制御装置に未登録のスイッチングハードウェアからの状態情報通知の検出、その他スイッチングハードウェアと状態不一致が自明である場合に発生する。
【非特許文献１】RFC3292
【発明の開示】
【発明が解決しようとする課題】
【０００９】
上記において、GSMPプロトコルの例のように、現状のスイッチングハードウェアの状態管理方法では、通常プロトコルレベルの管理制御情報の“交換可能状態”、“交換不可能状態”を管理しているだけであり、スイッチングハードウェア管理制御装置に取得・蓄積管理しているスイッチングハードウェアの情報がスイッチングハードウェアの状態と同期できているかどうかを確認し、両者の状態情報の不整合解決処理を自動的に行う機能を実装していない。
【００１０】
本発明は、上記の点に鑑みなされたもので、時々刻々と変化するスイッチングハードウェアの状態情報を管理するスイッチングハードウェアとこれを管理制御装置の間の状態同期方法を提供することができ、かつ状態同期を実現するための通信量を極力少なくすることが可能なスイッチングハードウェア管理制御装置及び方法を提供することを目的とする。
【課題を解決するための手段】
【００１１】
図１は、本発明の原理構成図である。
【００１２】
本発明は、単数もしくは複数のブロックで構成されるスイッチングハードウェア１００の状態情報を通信回線経由で取得・蓄積管理するスイッチングハードウェア管理制御装置２００であって、
通信回線の状態管理をするための通信プロトコルレベルで管理制御信号の交換可能の是非状態を記憶手段２４０で管理すると共に、所定の状態情報管理の不整合解決処理を行うプロトコル状態遷移管理手段２３０と、
スイッチングハードウェア１００の状態と記憶手段２４０に蓄積された状態情報が“同期状態”であるか“非同期状態”であるかを定義し、“非同期状態”の場合には、プロトコル状態遷移管理手段２３０に対して状態情報管理の不整合解決を指示する蓄積情報状態遷移管理手段２５０とを有する。
【００１３】
これにより、スイッチングハードウェア管理制御装置に取得・蓄積管理された状態情報がスイッチングハードウェアと“同期していること”が疑わしくなった場合に、“非同期状態”を定義できる。また、“非同期状態”の定義により、この状態に管理状態が遷移した場合に限り、スイッチングハードウェア管理制御装置が予め決められた手順によりスイッチングハードウェアとの不整合解決処理を行うことにより、適切なタイミングでかつ不必要に多くの不整合解決処理が行われないようにすることが可能となる。
【００１４】
本発明は、単数もしくは複数のブロックで構成されるスイッチングハードウェアの状態情報を通信回線経由で取得・蓄積管理するスイッチングハードウェア管理制御装置であって、
通信回線の状態管理をするための通信プロトコルレベルで管理制御信号の交換可能の是非状態を管理すると共に、所定の状態情報管理の不整合解決処理を行うプロトコル状態遷移管理手段と、
スイッチングハードウェアの状態と記憶手段に取得・蓄積された状態情報が“同期状態”であるか“非同期状態”であるかを定義し、“非同期状態”である場合に、プロトコル状態遷移管理手段に対して状態情報管理の不整合解決を指示する蓄積情報状態遷移管理手段とを有し、
蓄積情報状態遷移管理手段は、
未登録のスイッチングハードウェアから通信警報もしくは性能情報が通知された場合、“非同期状態”に遷移する手段を含む。
【００１５】
これにより、スイッチングハード管理装置において未登録のスイッチングハードウェアから通信警報もしくは性能情報が通知される場合は、既にスイッチングハードウェア管理制御装置に蓄積されている管理状態情報が不整合であることは自明であり、“非同期状態”に遷移することにより、予め決められた手順によりスイッチングハードウェアとの不整合解決処理を行うことにより、適切なタイミングでかつ、不必要に多くの不整合解決処理が行われないようにしながらスイッチングハードウェアとスイッチングハードウェア管理制御装置の状態同期を図ることが可能となる。
【００１６】
本発明は、単数もしくは複数のブロックで構成されるスイッチングハードウェアの状態情報を通信回線経由で取得・蓄積管理するスイッチングハードウェア管理制御装置であって、
通信回線の状態管理をするための通信プロトコルレベルで管理制御信号の交換可能の是非状態を管理すると共に、所定の状態情報管理の不整合解決処理を行うプロトコル状態遷移管理手段と、
スイッチングハードウェアの状態と記憶手段に取得・蓄積された状態情報が“同期状態”であるか“非同期状態”であるかを定義し、“非同期状態”である場合に、前記プロトコル状態遷移管理手段に対して状態情報管理の不整合解決を指示する蓄積情報状態遷移管理手段とを有し、
蓄積情報状態遷移管理手段は、
“非同期状態”に遷移した場合、スイッチングハードウェアの状態情報を取得し、記憶手段に取得・蓄積されている既状態情報との整合性確認を行い、不整合情報については該スイッチングハードウェアに再設定するか自身の該記憶手段の蓄積情報に上書き処理する処理に少なくとも１度成功した場合に限り、“同期状態”に遷移する手段を有する。
【００１７】
これにより、“疑わしい同期状態”の発生を防止することが可能となり、スイッチングハードウェア管理制御装置に蓄積・管理されている状態情報の信頼性を高めることが可能となる。
【００１８】
また、本発明は、上記において、蓄積情報状態遷移管理手段の“同期状態”から“非同期状態”に遷移する契機は、プロトコル状態遷移管理手段が“交換不可状態”に遷移する場合も含む。
【００１９】
このように定義することにより、スイッチングハードウェアと管理制御装置間の通信回線の長期安定性に問題があってもスイッチングハードウェア管理制御装置に蓄積される状態管理情報の信頼性を維持することが可能となる。
【００２０】
図２は、本発明の原理を説明するための図である。
【００２１】
本発明は、単数もしくは複数のブロックで構成されるスイッチングハードウェアの状態情報を通信回線経由で取得・蓄積管理するスイッチングハードウェア管理制御装置におけるスイッチングハードウェア管理制御方法であって、
プロトコル状態遷移管理手段において、通信回線の状態管理をするための通信プロトコルレベルで管理制御信号の交換可能の是非状態を記憶手段で管理し（ステップ１）、
蓄積情報状態遷移管理手段において、スイッチングハードウェアから取得した状態と記憶手段に蓄積された状態情報が“同期状態”であるか“非同期状態”であるかを定義し（ステップ２）、“非同期状態”となった場合には（ステップ３）、プロトコル状態管理手段に対して、不整合を解決するための命令を出力し、
プロトコル状態遷移管理手段において、不整合を解決するための命令に応じて、所定の状態情報の不整合を解決する処理を実行する（ステップ４）。
【００２２】
本発明は、単数もしくは複数のブロックで構成されるスイッチングハードウェアの状態情報を通信回線経由で取得・蓄積管理するスイッチングハードウェア管理制御装置におけるスイッチングハードウェア管理制御方法であって、
プロトコル状態遷移管理手段において、通信回線の状態管理をするための、通信プロトコルレベルで管理制御信号の交換可能の是非状態を管理し、
蓄積情報状態遷移管理手段において、スイッチングハードウェアの状態と記憶手段に蓄積された状態情報が“同期状態”であるか“非同期状態”であるかを定義し、
蓄積情報状態遷移管理手段において、
未登録のスイッチングハードウェアから通信警報もしくは性能情報が通知された場合、“非同期状態”に遷移し、プロトコル状態遷移管理手段に対して、不整合を解決するための命令を出力し、
プロトコル状態遷移管理手段において、不整合を解決するための命令に応じて、所定の状態情報の不整合を解決する処理を実行する。
【００２３】
本発明は、単数もしくは複数のブロックで構成されるスイッチングハードウェアの状態情報を通信回線経由で取得・蓄積管理するスイッチングハードウェア管理制御装置におけるスイッチングハードウェア管理制御方法において、
プロトコル状態遷移管理手段において、通信回線の状態管理をするための、通信プロトコルレベルで管理制御信号の交換可能の是非状態を管理し、
蓄積情報状態遷移管理手段において、スイッチングハードウェアの状態と記憶手段に取得・蓄積された状態情報が“同期状態”であるか“非同期状態”であるかを定義し、
蓄積情報状態遷移管理手段において、
“非同期状態”に遷移した場合、スイッチングハードウェアの状態情報を取得し、記憶手段に取得・蓄積されている既状態情報との整合性確認を行い、不整合情報については該スイッチングハードウェアに再設定するか自身の該記憶手段の蓄積情報に上書き処理する処理に少なくとも１度成功した場合に限り、“同期状態”に遷移する。
【００２４】
また、本発明は、上記の蓄積情報状態遷移管理手段において、
“同期状態”から“非同期状態”に遷移する契機は、プロトコル状態遷移管理手段が“交換不可状態”に遷移する場合も含む。
【発明の効果】
【００２５】
上記のように、本発明のスイッチングハードウェア管理制御装置によれば、当該装置に蓄積・管理されているスイッチングハードウェア状態情報の信頼性を高めることが可能であり、かつ、スイッチングハードウェアとスイッチングハードウェア管理制御装置の状態同期の実現に必要となる管理制御情報交換処理及び交換情報量を抑制することができる。
【発明を実施するための最良の形態】
【００２６】
以下、図面と共に本発明の実施の形態を説明する。
【００２７】
［第１の実施の形態］
図３は、本発明の第１の実施の形態におけるシステム構成を示す。
【００２８】
同図に示すシステムは、スイッチングハードウェア１００とスイッチングハードウェア管理制御装置２００から構成される。
【００２９】
スイッチングハードウェア１００は、２５６×２５６光スイッチユニット（ＯＰＣｏｏｎユニット制御部）１２０、光送信器ユニット（ＯＰＣユニット制御部）１１０、光受信器ユニット（ＯＰＣユニット制御部）１３０から構成される。ここで、２５６×２５６光スイッチユニット１２０は、隣接ノードから伝送されてきたか、もしくは、光送信ユニット１１０から出力された１０Gbit/sのITU-T G.709信号光送信を入力とし、隣接ノードもしくは、光受信器ユニット１２０に光信号を出力する。
【００３０】
また、光スイッチユニット１２０自身は、入力信号光波長を変換して出力する波長変換機能も具備している。
【００３１】
これら各ユニットの制御部には、ＧＳＭＰプロトコルを送受信する機能を実装しており、各々ＩＰアドレスが付与され、ユニット状態情報を取得・蓄積管理するスイッチングハードウェア管理制御装置２００と通信回線を通じて接続される。ここで、通信回線の物理的媒体は、１００M Ethernet（登録商標）が適用され、Ethernet（登録商標）上のTCP/IPリンク上でＧＳＭＰメッセージが交換される。
【００３２】
本発明のスイッチングハードウェア管理制御装置２００の構成を図４に示す。
【００３３】
スイッチングハードウェア管理制御装置２００は、スイッチングハードウェア１００とEthernet（登録商標）接続する通信インタフェース（ＩＦ）機能部２１０、通信ＩＦ機能部２１０のEther Frame（イーサフレーム）処理及びTCP/IP通信処理回路に入出力されるＧＳＭＰパケット処理機能部２２０、ＧＳＭＰパケットの管理制御情報を入出力する管理制御情報処理機能部２３０、管理制御情報のうちスイッチングハードウェア１００の状態情報を蓄積・保存するデータベース２４０、蓄積情報状態管理機能部２５０から構成される。
【００３４】
以下に、本発明の主旨であるスイッチングハードウェア管理制御装置２００における蓄積情報状態遷移管理機能部２５０の動作を以下に説明する。
【００３５】
蓄積情報状態遷移管理機能部２５０では、スイッチングハードウェア１００から取得し、データベース２４０に蓄積管理された状態情報が“同期状態”であるか、“非同期状態”であるかを定義する。
【００３６】
まず、最初に、“同期状態”から“非同期状態”に遷移する際の動作を説明する。
【００３７】
第１の状況として、ＧＳＭＰと処理機能部２２０においてスイッチングハードウェア１００（光スイッチユニット１２０、光送受信ユニット１１０，１３０）とのＡＣＫメッセージ交換の中断が検出された場合について説明する。この場合、ＧＳＭＰパケット処理機能部２２０から蓄積情報状態遷移管理機能部２５０に対して状態遷移命令が送出され、蓄積情報状態遷移管理機能部２５０の状態定義は“非同期状態”となる。
【００３８】
第２の状況として、通信警報もしくは性能情報（ここで通信警報とは、ITU-T G.709光信号断、光信号フレーム同期外れ等の通信回線断通知を指し、性能情報とはITU-T G.709信号のパリティチェックによるビット誤りのカウント値を指す）が通知され、ＧＳＭＰパケットの管理制御情報を入出力する管理制御情報処理機能部２３０においてスイッチングハードウェア１００の状態情報を蓄積・保存管理するデータベース２４０とデータ照合の結果、これらの通知情報が未登録のスイッチングハードウェアからのものであると判明した場合について説明する。ここで未登録のスイッチングハードウェア１００とは、例えば、ユニットそのものである場合や、ユニット内部のスイッチパッケージもしくは、送受信機パッケージである場合を想定している。
【００３９】
この場合も、管理制御情報処理機能部２３０より蓄積情報状態遷移管理機能部２５０に対して状態遷移命令が送出され、蓄積情報状態遷移管理機能部２５０の状態定義は“非同期状態”となる。
【００４０】
このように、蓄積情報状態遷移管理機能部２５０の状態定義が“非同期状態”となった場合には、蓄積情報状態遷移管理機能部２５０は、管理制御情報処理機能部２３０に対して状態情報管理の不整合解決命令を出力する。これにより、当該管理制御情報処理機能部２３０において不整合解決処理が起動する。
【００４１】
管理制御情報処理機能部２３０における不整合解決処理の具体的な動作は下記の通りである。
【００４２】
（１）ＧＳＭＰパケット処理機能部２２０のプロトコル状態遷移管理機能で定義された状態が“交換可能状態”であるかどうかを確認する。
【００４３】
（２）“交換可能状態”であれば、ＧＳＭＰパケット処理機能部２２０を介して、スイッチングハードウェア１００より状態情報を取得し、当該状態情報とデータベース２４０に取得・蓄積されている既状態情報との整合性確認を行う。不整合が発見された場合は、取得した状態情報をデータベース２４０に保存するか、逆に、データベース２４０に蓄積されている設定情報をスイッチングハードウェア１００に再設定処理する（どちらの方法を採るかは管理制御のポリシによる）。
【００４４】
（３）“交換不可状態”であれば、“交換可能状態”となるまで前述の（２）の処理を行うよう待機する。
【００４５】
次に、“非同期状態”から“同期状態”に遷移する際の動作を説明する。
【００４６】
蓄積情報状態遷移管理機能部２５０は、“非同期状態”にある場合、前述のようにＧＳＭＰパケット処理機能部２２０に命令を出し、当該機能部２２０からの命令によりスイッチングハードウェア１００の状態情報を取得し、データベース２４０に取得・蓄積されている既状態情報との整合性確認を行う。
【００４７】
当該ＧＳＭＰパケット処理機能部２２０において、取得情報をデータベース２４０に保存するか、逆にデータベース２４０に蓄積されている設定情報をスイッチングハードウェア１００に再設定処理する処理を実行することにより、スイッチングハードウェア１００とデータベース２４０の不整合解決処理が終了した場合には、蓄積情報状態遷移管理機能部２５０に対して“同期状態”に遷移する命令を送出する。
【００４８】
［第２の実施の形態］
図５は、本発明の第２の実施の形態におけるシステム構成を示す。
【００４９】
同図に示すスイッチングハードウェア管理制御装置４００は、ＡＴＭスイッチユニット３００に接続されている。当該ＡＴＭスイッチユニット３００は、通信回線を介して、２．５Gbit/sSDH/SONET信号を終端処理するＩＦ（インタフェース）ユニット３１０とＡＴＭスイッチコア３２０が合計３２方路実装されており、３２×３２のスイッチングが可能である。
【００５０】
本スイッチユニット３００のＯＰＣｏｎｎ制御部３３０には、ＧＳＭＰプロトコルを送受信する機能を実装しており、ＩＰアドレスが付与され、ユニット状態情報を取得・蓄積管理するスイッチングハードウェア管理制御装置４００と通信回線を通じて接続される。ここで、通信回線の物理媒体は、156Mbit/ｓATMLinkが適用され、ＡＴＭプロトコルに収容されたＧＳＭＰメッセージが交換される。
【００５１】
本発明のスイッチングハードウェア管理制御装置４００の構成と動作は、前述の第２の実施の形態の動作と同様である。
【００５２】
また、スイッチングハードウェア管理制御装置の動作をプログラムとして構築し、スイッチングハードウェア管理制御装置として利用されるコンピュータにインストールし、ＣＰＵ等の制御手段により実行する、または、ネットワークを介して流通させることも可能である。
【００５３】
また、構築されたプログラムをスイッチングハードウェア管理制御装置として利用されるコンピュータに接続されるハードディスク装置や、フレキシブルディスク、ＣＤ−ＲＯＭ等の可搬記憶媒体に格納しておき、実行時にインストールすることも可能である。
【００５４】
なお、本発明は、上記の実施の形態に限定されることなく、特許請求の範囲内において種々変更・応用が可能である。
【産業上の利用可能性】
【００５５】
本発明は、電気通信設備に提供される単数もしくは複数のスイッチングハードウェアを管理制御する装置に適用可能である。
【図面の簡単な説明】
【００５６】
【図１】本発明の原理構成図である。
【図２】本発明の原理を説明するための図である。
【図３】本発明の第１の実施の形態におけるシステム構成図である。
【図４】本発明の第１の実施の形態におけるスイッチングハードウェア管理制御装置の構成図である。
【図５】本発明の第２の実施の形態におけるシステム構成図である。
【図６】ＧＳＭＰプロトコルレベルの隣接確立手順を示す図である。
【符号の説明】
【００５７】
１００  スイッチングハードウェア
１１０  光送信ユニット
１２０  光スイッチユニット
１３０  光受信ユニット
２００  スイッチングハードウェア管理制御装置
２１０  通信ＩＦ機能部
２２０  ＧＳＭＰパケット処理機能部
２３０  プロトコル状態遷移管理手段、管理制御情報処理機能部
２４０  データベース
２５０  蓄積情報状態遷移管理手段、蓄積情報状態遷移管理機能部
３００  ＡＴＭスイッチユニット
３１０  インタフェース（ＩＦ）ユニット
３２０  ＡＴＭスイッチコア
３３０  ＯＰＣｏｎｎユニット制御部
４００  スイッチングハードウェア管理制御装置
【図１】
2005124067.tif 000003
【図２】
2005124067.tif 000004
【図３】
2005124067.tif 000005
【図４】
2005124067.tif 000006
【図５】
2005124067.tif 000007
【図６】
2005124067.tif 000008